(57)【要約】【課題】複数の映像媒体を組合わせた映像機器装置において、映像信号出力回路を簡素化し、且つ安価に構成できる映像信号用集積回路を提供する。【解決手段】Ｓ−ＶＨＳ映像信号用集積回路１０に外部からの映像信号入力端子１３，１４を設け、組合わせた他方のＤＶＤ映像信号用集積回路４２からの映像信号を入力する。又、内部に任意に切り換え可能な映像信号切り換え器１６，１７を設けマイコン１９により切り換えるよう構成することで、映像信号出力回路を簡素化し、且つ安価にした。【選択図】　　　図１
2004032487.tif 000002
【特許請求の範囲】
【請求項１】
少なくとも２種類の媒体を再生する映像再生装置に用いられる映像信号用集積回路であって、
各前記媒体から再生された映像信号を切り換え出力する切り換え手段と、
所望の１の前記媒体の再生出力が得られるように、前記切り換え手段の切り換えを制御する切り換え制御手段と
を備えたことを特徴とする映像信号用集積回路。
【発明の詳細な説明】
【０００１】
【発明の属する技術分野】
本発明は、複数の映像媒体を組合わせた映像記録再生装置あるいは映像再生装置に用いる映像信号用集積回路に関する。
【０００２】
【従来の技術】
近年、記録媒体の多様化にともない、複数の映像記録再生装置あるいは映像再生装置を組合わせた映像機器装置が提案されている。
Ｓ−ＶＨＳ方式のＶＴＲとＤＶＤ再生装置とを組合わせた映像機器装置の一例につき、図４を用いて説明する。尚、同図には、本発明に関連する映像信号用集積回路の説明において必要な映像出力信号に関する部分のみ示している。Ｓ−ＶＨＳ方式のＶＴＲから供給される信号を処理する映像信号用集積回路４１では、輝度信号処理回路４１ａ及び色信号処理回路４１ｂでそれぞれ所定の処理が施された輝度信号及び色信号と、それらを混合器４１ｃで混合した複合映像信号として出力する。一方、ＤＶＤ装置からの信号を処理するＤＶＤ映像信号用集積回路４２は、前記と同様の処理により輝度信号及び色信号を出力する。各回路からの輝度信号は、映像信号切り換え器４４によりそれぞれ選択され、７５Ω出力器４７を経て映像機器装置４０の出力端子５１より出力され、映像機器装置４０に接続されている外部ディスプレイ装置５４に供給される。
【０００３】
同じく、各回路からの色信号は、映像信号切り換え器４６によりそれぞれ選択され、７５Ω出力器４９を経て映像機器装置４０の出力端子５３より出力され、映像機器装置４０に接続されている外部ディスプレイ装置５４に供給される。
また、ＤＶＤ映像信号用集積回路４２は、輝度信号及び色信号のみを出力しているので、一旦外部の混合器４３により複合映像信号に変換した後映像信号切り換え器４５によりそれぞれ選択され、７５Ω出力器４８を経て映像機器装置４０の出力端子５２より出力され、映像機器装置４０に接続されている外部ディスプレイ装置５４に供給される。
これら映像信号切り換え器４４，４５，４６は、ユーザの選択に基づきマイコン５０の制御により切り換えるようになっている。
【０００４】
【発明が解決しようとする課題】
従って、このような組合わせの映像機器装置を実現する場合、各集積回路から供給される出力信号を切り換える回路が必要となり、また集積回路の種類によっては輝度信号及び色信号の混合回路も別途必要となりコストがかかってしまうという問題があった。
また、各集積回路から切り換え回路まで配線を引きまわさなければならず、基板面積の増大や配線の複雑化による映像信号の干渉という問題があった。
【０００５】
本発明は、以上の点に鑑みなされたもので、複数の映像媒体を組合わせた映像記録再生装置あるいは映像再生装置を組合わせた映像機器装置において、少なくとも一方の装置の再生信号処理集積回路に、任意に映像信号を切り換え可能な切り換え器と、外部映像信号入力端子とを設けることにより、映像信号出力回路を簡素化し、且つ安価に構成できるようにする。
【０００６】
【課題を解決するための手段】
本発明は、上記課題を解決するために、以下に記載の手段よりなる。
すなわち、
少なくとも２種類の媒体を再生する映像再生装置に用いられる映像信号用集積回路であって、
各前記媒体から再生された映像信号を切り換え出力する切り換え手段と、
所望の１の前記媒体の再生出力が得られるように、前記切り換え手段の切り換えを制御する切り換え制御手段と
を備えたことを特徴とする映像信号用集積回路。
【０００７】
【発明の実施の形態】
以下、本発明に係る映像信号用集積回路の発明の実施の形態につき、好ましい実施例により説明する。図１は、その実施例に適用される映像信号用集積回路を用いた映像機器装置の映像出力部分の概略ブロック図である。図４で示した映像機器装置と同一の構成要素には同一符号を付している。
同図に示すように、Ｓ−ＶＨＳ方式のＶＴＲから供給される信号を処理するＳ−ＶＨＳ映像信号用集積回路１０では、内部の輝度信号処理回路１１からの輝度信号と、別途設けられた外部輝度信号入力端子１３より入力されるＤＶＤ映像信号用集積回路４２から供給された輝度信号とが映像信号切り換え器１６に入力される。各回路からの輝度信号は、映像信号切り換え器１６により選択され、７５Ω出力器４７を経て映像機器装置４０の出力端子５１より出力され、映像機器装置４０に接続されている外部ディスプレイ装置５４に供給される。
【０００８】
同じく、Ｓ−ＶＨＳ映像信号用集積回路１０内部の色信号処理回路１２からの色信号と、別途設けられた外部色信号入力端子１４より入力されるＤＶＤ映像信号用集積回路４２から供給された色信号とが映像信号切り換え器１７に入力される。各回路からの色信号は、映像信号切り換え器１７により選択され、７５Ω出力器４９を経て映像機器装置４０の出力端子５３より出力され、映像機器装置４０に接続されている外部ディスプレイ装置５４に供給される。
【０００９】
また、映像信号切り換え器１６及び映像信号切り換え器１７により選択された輝度信号と色信号とは混合器１８で複合映像信号に変換した後、７５Ω出力器４８を経て映像機器装置４０の出力端子５２より出力され、映像機器装置４０に接続されている外部ディスプレイ装置５４に供給される。
これら映像信号切り換え器１６，１７は、ユーザの選択に基づきマイコン１９の制御により連動して切り換えるような構成にしている。
【００１０】
以上の説明のように、Ｓ−ＶＨＳ映像信号用集積回路に映像信号切り換え器、混合器を内臓した構成としたので、映像信号用集積回路間に必要最小限の映像信号配線のみを行えばよい構成とすることができる。
また、図２に示すように７５Ω出力回路２０，２１，２２をＳ−ＶＨＳ映像信号用集積回路２３に内臓する構成としてもよい。こうすれば、なおいっそうの基板面積の縮小図ることができ、映像信号間の干渉も減少させることができるという効果がある。
【００１１】
更に図３は、別実施例で、組合わせる映像機器装置の両方の映像信号用集積回路が、輝度信号、色信号及び複合映像信号を備えている場合の例である。Ｓ−ＶＨＳ映像信号用集積回路３０にさらに複合映像信号入力端子３１を設け、それに対応した映像信号切り換え器３２を備えるようにすればよい。
又、このような構成とした場合、映像信号切り換え器１６，１７，３２は連動で切り換えたりあるいは、映像信号切り換え器１６と映像信号切り換え器１７は連動で切り換え、映像信号切り換え器３２は独立して切り換えるようにしてもよい。
【００１２】
本実施例では、映像信号切り換え器、混合器、及び７５Ω出力器をＳ−ＶＨＳ映像信号用集積回路側に内臓する構成としたが、少なくともいずれか１方側内臓すればよい。当然両方に内臓していてもよいのはもちろんである。
【００１３】
上述の説明においては、２種類の記録媒体を用いた映像機器装置についてであるが、組合わせる機器装置が３種類以上の場合は、映像切り換え器を組合わせる装置分の数を備えているような構成にすればよい。
【００１４】
【発明の効果】
本発明の映像信号用集積回路によれば、複数の映像媒体を組合わせた映像記録再生装置あるいは映像再生装置で構成された映像機器装置において、任意に映像信号を切り換え可能な切り換え器と、外部映像信号入力端子とを設けるようにしたので、映像信号出力回路を簡素化し、且つ安価に構成することができる。
又、切り換え器を内部に持たせるようにし配線を簡素化したので、基板面積の縮小による小型化及び、映像信号間の相互干渉を減少することができる。
【図面の簡単な説明】
【図１】本発明の実施例に適用される映像信号用集積回路を用いた映像機器装置の映像出力部分の概略ブロック図である。
【図２】本発明の実施例に適用される映像信号用集積回路を用いた映像機器装置の映像出力部分の概略ブロック図の別の一例である。
【図３】本発明の実施例に適用される映像信号用集積回路を用いた映像機器装置の映像出力部分の概略ブロック図の別の一例である。
【図４】従来技術の映像信号用集積回路を用いた映像機器装置の映像出力部分の概略ブロック図である。
【符号の説明】
１０，２３，３０，４１…Ｓ−ＶＨＳ映像信号集積回路
１１…輝度信号処理回路
１２…色信号処理回路
１３，１４，１５，３１…入力端子
１６，１７，３２，４４，４５，４６…映像信号切り換え器
１８，４３…混合器
１９，５０…マイコン
４０…映像機器装置
４２…ＤＶＤ映像信号集積回路
４７，４８，４９…７５Ω出力器
５１，５２，５３…出力端子
５４…外部ディスプレイ装置
【図１】
2004032487.tif 000003
【図２】
2004032487.tif 000004
【図３】
2004032487.tif 000005
【図４】
2004032487.tif 000006